(57)【要約】【課題】  複数のプラスチック製ボトルをまとめて処理することができるプラスチック製ボトルの減容装置を提供する。【解決手段】プラスチック製ボトルの減容装置２は、ペットボトル１を収納可能な収納容器３と、収納容器３の内側を上下方向に移動可能な耐熱性の移動部材４とを備える。移動部材４は、収納容器３の底部３１に対向する下面４１と、その反対に位置する上面４２とを有する板状部材である。移動部材４の外周近傍であって、その下面４１には、収納容器３の底部３２側に突出するガイド部材９を備える。移動部材４には、ペットボトル１を保持するための保持手段５を備える。保持手段５は、移動部材４に形成された複数の穴６と、下面４１に取り付けられた可撓性膜７と、可撓性膜７に形成されたスリット８とを備える。収納容器３内に水を入れ、底部３２をその外側から加熱手段Ｈで加熱することによってペットボトル１の減容処理が可能である。【選択図】図１
2020176199.tif 000002
【特許請求の範囲】
【請求項１】
プラスチック製ボトルを収納可能な耐熱性の収納容器と、前記収納容器の内側を上下方向に移動可能な耐熱性の移動部材と、を備える複数本のプラスチック製ボトルの減容装置であって、
前記移動部材には複数の前記プラスチック製ボトルを保持するための保持手段を備えることを特徴とする複数本のプラスチック製ボトルの減容装置。
【請求項２】
前記保持手段は、前記移動部材に設けられた複数の穴を含むことを特徴とする請求項１記載の複数本のプラスチック製ボトルの減容装置。
【請求項３】
前記穴には、スリットが設けられた可撓性膜が設けられることを特徴とする請求項２記載の複数本のプラスチック製ボトルの減容装置。
【請求項４】
前記穴は、前記移動部材の中心に位置する第１穴と、前記第１穴からの距離が等しくかつ互いに等間隔に配置された複数の第２穴と、前記第２穴よりも前記移動部材の外周側に位置し、前記第１穴からの距離が等しくかつ互いに等間隔に配置された複数の第３穴と、を備え、
前記第１穴の中心及び前記第２穴の中心を通って延びる直線と、前記第１穴の中心及び第３穴の中心を通って延びる直線とは重ならないことを特徴とする請求項２又は３記載の複数本のプラスチック製ボトルの減容装置。
【請求項５】
前記移動部材は、前記収納容器に対向する下面と、その反対に位置する上面とを有する板状部材であって、
前記保持手段の外周近傍であってその下面側から突出するガイド部材をさらに備えることを特徴とする請求項１〜４に記載の複数本のプラスチック製ボトルの減容装置。
【発明の詳細な説明】
【技術分野】
【０００１】
この発明は、ペットボトルなどのプラスチック製ボトルを廃棄する際に減容するための減容装置であって、特に加熱及び加圧することによって減容することを特徴とするプラスチック製ボトルの減容装置に関する。
【背景技術】
【０００２】
特許文献１には、プラスチック製ボトルの減容装置が記載される。この減容装置は、プラスチック製ボトルとしてペットボトルを加熱及び圧縮するものである。減容装置は、ペットボトルを収容可能な容器と、容器内部を加熱する加熱機構と、ペットボトルを圧縮するための圧縮機構とを備える。容器内部には、上下移動可能な移動盤体を備え、移動盤体にはペットボトルの上部のねじに嵌合する連結部を備える。ペットボトルを連結部に連結させ、容器内を加熱機構により加熱するとともに、圧縮機構によって圧縮することによってペットボトルを塑性変形させ、廃棄時におけるペットボトルの減容を図ることができる。
【先行技術文献】
【特許文献】
【０００３】
【特許文献１】特開平７−０１６８４０
【発明の概要】
【発明が解決しようとする課題】
【０００４】
上記のような特許文献１に記載されたプラスチック製ボトルの減容装置において、一度に減容可能なペットボトルは一本だけである。したがって、複数のペットボトルを処理する場合には、時間と手間がかかるという問題があった。
【０００５】
この発明は、複数のプラスチック製ボトルをまとめて処理することができるプラスチック製ボトルの減容装置を提供することを課題とする。
【課題を解決するための手段】
【０００６】
この発明は、プラスチック製ボトルを収納可能な耐熱性の収納容器と、前記収納容器の内側を上下方向に移動可能な耐熱性の移動部材と、を備えるプラスチック製ボトルの減容装置であって、前記移動部材には複数の前記プラスチック製ボトルを保持するための保持手段を備えることを特徴とする。
このプラスチック製ボトルの減容装置によれば、複数のプラスチック製ボトルを収納容器にセットすることができ、複数をまとめて減容処理することができる。
【０００７】
前記保持手段は、前記移動部材に設けられた複数の穴を含む物であってもよい。
プラスチック製ボトルの口部を穴に差し込むようにすることで容易に保持手段に固定することができる。
【０００８】
前記穴には、スリットが設けられた可撓性膜が設けられるものであってもよい。
プラスチック製ボトルを可撓性膜のスリットに挿入するだけで、保持手段に容易に保持させることができる。
【０００９】
前記穴は、前記移動部材の中心に位置する第１穴と、前記第１穴からの距離が等しくかつ互いに等間隔に配置された複数の第２穴と、前記第２穴よりも前記移動部材の外周側に位置し、前記第１穴からの距離が等しくかつ互いに等間隔に配置された複数の第３穴と、を備え、前記第１穴の中心及び前記第２穴の中心を通って延びる直線と、前記第１穴の中心及び第３穴の中心を通って延びる直線とは重ならないものであってもよい。
複数の穴にプラスチック製ボトルをそれぞれ保持させたとき、これら複数のプラスチック製ボトルが互いに干渉することなく配置することができる。
【００１０】
前記移動部材は、前記収納容器に対向する下面と、その反対に位置する上面とを有する板状部材であって、前記保持手段の外周近傍であってその下面側から突出するガイド部材をさらに備えるものであってもよい。
ガイド部材を設けることによって、保持部材は収容容器の内側に沿って円滑に上下移動することができる。
【発明の効果】
【００１１】
この発明に係るプラスチック製ボトルの減容装置の実施形態によれば、収納容器内を上下に移動可能な移動部材にプラスチック製ボトルを保持するための複数の保持手段を設けることによって、一度に複数のプラスチック製ボトルの減容処理が可能となる。
【図面の簡単な説明】
【００１２】
【図１】この発明に係るプラスチック製ボトルの減容装置の斜視図。
【図２】プラスチック製ボトルの減容装置の使用状態における断面図であって、第１穴及び第２穴の中心を通る直線で切断したときの断面図。
【図３】移動手段の表面から見た図。
【図４】移動手段の裏面から見た図。
【発明を実施するための形態】
【００１３】
＜減容装置２＞
この実施形態において、プラスチック製ボトルとしてペットボトル１を用いる。
図１及び図２を参照すれば、プラスチック製ボトルの減容装置２は、ペットボトル１を収納可能な収納容器３と、収納容器３の内側を上下方向に移動可能な耐熱性の移動部材４とを備える。
【００１４】
＜減容装置３＞
この実施形態において、収納容器３としてスチール製の一斗缶を用い、略正方形の底部３１と、底部３１から起立する４つの略長方形の壁部３２とを有する。底部３１は一辺の長さが約２３．５ｃｍであり、壁部３２は幅約２３．５ｃｍ、高さ約３５ｃｍである。収納容器３には、これを持ち運ぶための第１取手３３が設けられる。第１取手３３は壁部３２の角部であって、対向する二か所に設けられる。
【００１５】
＜移動部材４＞
移動部材４は、収納容器３の底部３１に対向する下面４１と、その反対に位置する上面４２とを有する板状部材であって、より具体的には、移動部材４は厚さ約１６ｍｍの鉄製板状部材であり、重さは約６ｋｇである。移動部材４の上面４２には、これを持ち上げるための第２取手４３が二つ設けられる。また、移動部材４は、収納容器３の内側を上下に移動可能とするために、その外周は収納容器４の内周よりもわずかに小さいほぼ相似形となるようにしている。移動部材４の外周近傍であって、その下面４１には、収納容器３の底部３２側に突出するガイド部材９をさらに備える。
【００１６】
＜ガイド部材９＞
この実施形態においてガイド部材９は、収納容器３の４つの壁部３２に対応して４か所に設けられる。ガイド部材９は、少なくとも対向して２つ設けられるのが好ましい。このようにガイド部材９を設けることによって、移動部材４が収納容器３の壁部３２に沿って円滑に上下移動することができ、がたつきによって上下移動が妨げられるのを予防することができる。
【００１７】
＜保持手段５＞
さらに図３及び図４を併せて参照すれば、移動部材４には、ペットボトル１を保持するための保持手段５を備える。保持手段５は、移動部材４に形成された複数の穴６と、穴６を覆うように下面４１に取り付けられた可撓性膜７と、可撓性膜７に形成されたスリット８とを備える。この実施形態において可撓性膜７としてゴムシートを用いる。可撓性膜７としてのゴムシートは、耐熱性を有することが望ましく、ネジによってガイド部材９とともに移動部材４の下面４１に取り付けられる。スリット８は、可撓性膜７に十字に入れられた切込みによって形成され、穴６に一致するように配置する。穴６は、移動部材４を厚さ方向に貫通するものであってもよいし、貫通しない凹形状のものであってもよい。
【００１８】
＜穴６＞
移動部材４に形成された穴６は、移動部材４の中心に位置する第１穴６１と、第１穴６１からの距離が等しくかつ互いに等間隔に配置された複数の第２穴６２と、第２穴６２よりも移動部材４の外周側に位置し、第１穴６１からの距離が等しくかつ互いに等間隔に配置された複数の第３穴６３とを備える。第１穴６１の中心及び第２穴６２の中心を通る直線Ｌ２と、第１穴６１の中心及び第３穴６３の中心を通る直線Ｌ２とは、一致しないように配置される。
【００１９】
この実施形態において第１穴６１の直径は約３９ｍｍ、第２穴６２及び第３穴６３の直径は約３１ｍｍとしている。４リットル容量のペットボトルの口部外径は約３６ｍｍであることが多く、５００ミリリットル容量及び２リットル容量のペットボトルの口部外径は約２７．５ｍｍであることが多い。したがって、第１穴６１に４リットル容量のペットボトルの口部を挿入することができ、第２穴６２及び第３穴６３に５００ミリリットル容量のペットボトル及び２リットル容量のペットボトルの口部を挿入可能とすることができる。各ペットボトル１は可撓性膜７のスリット８を介して第１穴６１、第２穴６２又は第３穴６３に挿入されるが、可撓性膜７を配置することによって、挿入したペットボトル１が穴から脱落するのを防止することができる。
【００２０】
第１穴６１の中心及び第２穴６２の中心を通る直線Ｌ１と、第１穴６１の中心及び第３穴６３の中心を通る直線Ｌ２とは約４５°の角度をなし、第１穴６１の中心と第２穴６２の中心との離間寸法Ｄ１は約４６．５ｍｍであり、第１穴６１の中心と第３穴６３との離間寸法Ｄ２は約９０．５ｍｍである。このように配置することによって、複数のペットボトル１の口部を穴６に挿入した際に、ペットボトルの本体部が互いに干渉しないようにすることができる。
【００２１】
より具体的には、５００ミリリットル容量のペットボトルの場合には、第２穴６２及び第３穴６３のそれぞれにペットボトルの口部を挿入することによって、移動部材４で８本のペットボトルを保持することができる。また、第１穴６１に２リットル容量のペットボトルを挿入し、第３穴６３のそれぞれに５００ミリリットル容量のペットボトルを挿入することによって、２リットル容量１本と５００ミリリットル容量４本とを同時に移動部材４で保持することができる。４リットル容量のペットボトルの場合には、第１穴６１に１本保持することができる。なお、５００ミリリットル容量のペットボトルは、直径約６５ｍｍのほぼ円柱の本体部と、外径約２７ｍｍの口部を有するものが多い。２リットル容量のペットボトルは、約１１０ｍｍ×９０ｍｍのほぼ角柱の本体部と、外径約２７ｍｍの口部を有するものが多い。４リットル容量のペットボトルは、直径約１４２ｍｍのほぼ円柱の本体部と、外径約３６ｍｍの口部を有するものが多い。
【００２２】
＜使用方法＞
ここで、特に図２を参照し、減容装置２の使用方法について説明する。
減容装置２の使用に際し、収納容器３内に約２リットルの水を注水する。注水後、移動部材４に減容対象であるペットボトル１をセットする。この実施形態においてペットボトル１として５００ミリリットル容量のものを８本同時に減容処理する。ペットボトル１は、第２穴６２に４本保持させ、第３穴６３に４本保持させる。第１穴６１には何も保持していない。このようにペットボトル１を保持させた移動部材４を、ペットボトル１を底部３２に対向させるように、収納容器３内に入れコンロ等の加熱手段Ｈによって加熱する。加熱によって収納容器３内のペットボトル１が軟化し、移動部材４の自重によって軟化したペットボトルが圧縮されて塑性変形し、減容される。
【００２３】
この実施形態によれば、一度に複数のペットボトル１の減容が可能であり、減容の手間や時間を削減することができる。収納容器３として市販の１８リットル缶を用いているが、これに限定されるものではない。しかし、このような市販品を用いることによって、装置全体のコストダウンを図ることができる。また、第１穴６１、第２穴６２、第３穴６３の大きさや配置は、処理対象となるペットボトルの大きさ等によって適宜変更可能である。
【符号の説明】
【００２４】
１    ペットボトル（プラスチック製ボトル）
２    プラスチック製ボトルの減容装置
３    収納容器
４    移動部材
５    保持手段
６    穴
７    可撓性膜
８    スリット
４１    下面
４２    上面
６１    第１穴
６２    第２穴
６３    第３穴
Ｈ    加熱手段
【図１】
2020176199.tif 000003
【図２】
2020176199.tif 000004
【図３】
2020176199.tif 000005
【図４】
2020176199.tif 000006